(57)【要約】【課題】野球等で使用する保護フェンスにおいて、ボールの跳ね返りに関して、方向のイレギュラー化や跳ね返り距離のバラツキなどを防止して、プレーへの悪影響を解消できるようにする。【解決手段】スタンドフレーム２と角形盤体形のクッションパッド３とを有し、クッションパッド３は正面部３ａと左右の各側面部３ｃとの間に角形隅部９が形成されて正面部３ａ中央域と左右端寄り域とのクッション度が均等化されている。【選択図】図１
2005131034.tif 000002
【特許請求の範囲】
【請求項１】
自立可能なスタンドフレーム（２）と、このスタンドフレーム（２）を支えとして起立保持される角形盤体形のクッションパッド（３）とを有し、クッションパッド（３）はクッション材（３０）を外装材（３１）で包み込んで一定厚みに形成されており、このクッションパッド（３）における正面部（３ａ）と左右の各側面部（３ｃ）との間にできる縦辺部はこれに隣接設置される別のクッションパッド（３）との間で正面部（３ａ）同士を面一としつつ隙間無く突き合わせ可能な角形隅部（９）が形成されて正面部（３ａ）中央域と左右端寄り域とのクッション度が均等化されており、正面部（３ａ）における左右側部の一方には隣接設置される別のクッションパッド（３）の正面部（３ａ）側へ張り出すカバー片（１０）が設けられこのカバー片（１０）の内側面及び同他方となる側部に沿った正面部（３ａ）のそれぞれにはこれら両者間の連結及び離反が自在となる連結手段（１１）が設けられ、更にこのクッションパッド（３）の背面部（３ｂ）にはスタンドフレーム（２）に対してその上方から嵌装可能となる下向き開口（２０）を有した袋部（１５）と、この袋部（１５）をスタンドフレーム（２）の上部へ嵌装させた状態でスタンドフレーム（２）の下部に対して止め付け可能になる巻付手段（１６）とが設けられていることを特徴とする保護フェンス。
【請求項２】
前記クッションパッド（３）の外装材（３１）は、正面部（３ａ）と左右の各側面部（３ｃ）との間にできる縦辺部に沿わせて縫着又は接着による繋ぎ目を設けることで角形隅部（９）が形成されていることを特徴とする請求項１記載の保護フェンス。
【請求項３】
前記クッションパッド（３）の外装材（３１）には、背面部（３ｂ）における左右いずれかの縦辺部と下辺部とを連続させたＬ字状、または、背面部（３ｂ）における下辺部から左右縦辺部に連続させたコ字状のジッパー（３２）が設けられて開閉自在になっていることを特徴とする請求項１又は２記載の保護フェンス。
【発明の詳細な説明】
【技術分野】
【０００１】
本発明は、球技などで激突緩和や球受け等として使用可能な保護フェンスに関するものである。
【背景技術】
【０００２】
野球場などにおいて、バックネット周辺や外野などにフェンスを設置することがある。このためのフェンスとして、クッションの背面部に設けたフックで既設のコンクリート塀等に引っ掛けて利用するものが知られている（特許文献１参照）。
【特許文献１】特開平２０００−２３３０３７号公報
【発明の開示】
【発明が解決しようとする課題】
【０００３】
上記した従来公知のフェンスは、背面部に金属製などの硬いフックを設けておく必用があり、フェンスの持ち運び時などにこのフックが邪魔になると共に、衣類などを引っ掛けて破れをつくったりするおそれがあった。また、重量増やコスト高の問題もあった。
一方、この種のフェンスで採用されるクッションは、布帛やビニール等で形成された袋内にウレタン等の弾性材を詰め込んだ構造にするのが普通であるが、このような構造では袋の外周部が丸みを帯びたものとなり、複数のフェンスを横並べに設置した場合には、この外周部の丸み同士が隣接して縦方向の溝状の窪みを発生させてしまう。このような縦方向の溝状窪みは、ボールの跳ね返り方向に関してイレギュラー化させるおそれがあり、またクッションの正面部中央域とでは跳ね返りの距離にもバラツキが生じるおそれがあった。そのため、プレーそのものに悪影響が出るおそれがあった。
【０００４】
本発明は、上記事情に鑑みてなされたものであって、持ち運びなどの取り扱いが容易ボールの跳ね返りに関して、方向のイレギュラー化や跳ね返り距離のバラツキなどを防止して、プレーへの悪影響を解消できるようにした保護フェンスを提供することを目的とする。
【課題を解決するための手段】
【０００５】
前記目的を達成するために、本発明は次の手段を講じた。
即ち、本発明に係る保護フェンス１は、自立可能なスタンドフレーム２と、このスタンドフレーム２を支えとして起立保持される角形盤体形のクッションパッド３とを有している。このうちクッションパッド３は、クッション材３０を外装材３１で包み込んで一定厚みに形成されたものとなっており、このクッションパッド３における正面部３ａと左右の各側面部３ｃとの間にできる縦辺部は、これに隣接設置される別のクッションパッド３との間で正面部３ａ同士を面一としつつ、隙間無く突き合わせ可能な角形隅部９が形成されている。これらのことから、このクッションパッド３は、その正面部３ａ中央域と左右端寄り域とのクッション度が均等化されている。
【０００６】
そのため、このクッションパッド３に対するボールの跳ね返りに関しては、方向のイレギュラー化や跳ね返り距離のバラツキなどが防止されたものとなり、プレーへの悪影響は解消される。
また、このクッションパッド３の正面部３ａにおける左右側部の一方には、これに隣接設置される別のクッションパッド３の正面部３ａ側へ張り出すカバー片１０が設けられており、このカバー片１０の内側面と、正面部３ａの同他方となる側部に沿った正面部３ａとには、それぞれ、これら両者間の連結及び離反が自在となる連結手段１１が設けられている。この連結手段１１により、このクッションパッド３は複数のものを横並べ状態で設置でき、このとき各クッションパッド３の正面部３ａを面一化できると共に、隙間の発生を防止して、ボールの跳ね返りに悪影響がでないようにできる。
【０００７】
また、このクッションパッド３における背面部３ｂには、スタンドフレーム２に対してその上方から嵌装可能となる下向き開口２０を有した袋部１５と、この袋部１５をスタンドフレーム２の上部へ嵌装させた状態でスタンドフレーム２の下部に対して止め付け可能になる巻付手段１６とが設けられている。
このようにすることで、スタンドフレーム２に対するクッションパッド３の着脱が容易に行えると共に、スタンドフレーム２に対するクッションパッド３の固定もしっかり安定したものとなる。そのうえで、クッションパッド３の構造が簡潔となり、軽量化及び低コスト化が図れるものとなる。
【０００８】
クッションパッド３の外装材３１は、正面部３ａと左右の各側面部３ｃとの間にできる縦辺部に沿わせて縫着又は接着による繋ぎ目を設けることにより、上記した角形隅部９が形成されたものとすればよい。このような構造であれば、角形隅部９の形成が簡単且つ低コストにできる。
クッションパッド３の外装材３１には、背面部３ｂにおける左右いずれかの縦辺部と下辺部とを連続させたＬ字状、または、背面部３ｂにおける下辺部から左右縦辺部に連続させたコ字状のジッパー３２が設けられて開閉自在になったものとすればよい。これによって内部のクッション材３０の出し入れが容易であると共に、外装材３１の製作が簡単且つ低コストになる。
【発明の効果】
【０００９】
本発明に係る保護フェンスでは、ボールの跳ね返りに関して、方向のイレギュラー化や跳ね返り距離のバラツキなどを防止して、プレーへの悪影響を解消できるようになる。
【発明を実施するための最良の形態】
【００１０】
以下、本発明の実施の形態を、図面に基づき説明する。
図１乃至図５は、本発明に係る保護フェンス１の一実施形態を示している。図２から明らかなように、この保護フェンス１は、例えば野球などにおいて外野の奥域ラインに沿って複数台を横並べに設置するといった使い方をするものであって、これにより打球の到達点を明確にしたり、外野手の激突を緩和したり、ボールの跳ね返しをさせたりする。勿論、このような使用方法に限定されるものではない。
この保護フェンス１は、自立可能なスタンドフレーム２と、このスタンドフレーム２を支えとして起立保持されるクッションパッド３とを有している。スタンドフレーム２は、クッションパッド３の正面大きさに略相当する支持枠部５とこの支持枠部５を自立させるための脚部６とを有したもので、パイプ材やアングル材、チャンネル材などの適宜条材によって組み立てられている。なお、脚部６の本数やその形状、大きさ、材質、或いは支持枠部５と脚部６とを一体化させるか又は別々に形成させて結合させるかなど、このスタンドフレーム２に関する細部構造に関しては何ら限定されるものではない。
【００１１】
クッションパッド３はその全体として角形盤体形を呈して形成されたものであって、正面部３ａ及び背面部３ｂを有し、これらが左右の側面部３ｃ、上面部３ｄ、及び下面部３ｅによって一定厚みを保持されることで、この厚み方向で適度なクッション性が得られるようになっている。大きさの一例としては、正面部３ａの縦方向寸法Ｈが１２００ｍｍ、横方向寸法Ｗが２０００ｍｍ、側面部３ｃなどによる厚み寸法ｔが１００ｍｍなどとされている。
このクッションパッド３における正面部３ａと左右の側面部３ｃとの間にできる縦辺部には角形隅部９が形成されている。この角形隅部９は、保護フェンス１が横並べに設置されるときに、隣接する保護フェンス１のクッションパッド３との間で、互いの正面部３ａが面一となり、且つ隙間が発生しないような突き合わせ状態が得られる程度に、平面視状態の直角度を有したものとなっている。これにより、このクッションパッド３は正面部３ａの中央域と左右端寄り域とでクッション度にバラツキがなく、略均等化されたものとなっている。そのため、このクッションパッド３の正面部３ａではボールの跳ね返りに関して方向のイレギュラー化や跳ね返り距離のバラツキなどが防止されたものとなる。
【００１２】
また、このクッションパッド３において、正面部３ａの左右いずれか一方の側部寄りにはカバー片１０が設けられている。このカバー片１０は、クッションパッド３の正面部３ａからその面方向に沿って側部外方へ小さく（７０ｍｍ程度の小幅で）張り出し、また正面部３ａの縦方向の略全長にわたるようにして形成されている。このようなカバー片１０は、この保護フェンス１を横並べ状態で複数設置するに際して、隣接される保護フェンス１（クッションパッド３）の正面部３ａに重ね合わせることができる。
カバー片１０の内側面（隣接される保護フェンス１の正面部３ａへ向けられる面）と、クッションパッド３の正面部３ａのうちこのカバー片１０が設けられていない方の側部寄りとのそれぞれには、これら両者間の連結及び離反が自在となる連結手段１１が設けられている。この連結手段１１は例えば面ファスナの雄・雌が振り分け配置されたもの等とされている。なお、ボタンホックの雄・雌等としてもよい。
【００１３】
すなわち、複数台の保護フェンス１を横並べに設置したときに、カバー片１０を隣接の保護フェンス１に対してその正面部３ａに重ね合わせ、連結手段１１による連結を行うことで、これら横並べとされた双方の保護フェンス１は離反不能の状態となり、両者の正面部３ａは面一化され、また勿論、両者間に隙間が発生することもない。
クッションパッド３の背面部３ｂには袋部１５と巻付手段１６とが設けられている。これら袋部１５及び巻付手段１６は、クッションパッド３をスタンドフレーム２に対して取り付けるうえで必用とされる構造である。
【００１４】
袋部１５は、クッションパッド３の上面部３ｄと面一に形成された天面幕１７と、クッションパッド３における左右の側面部３ｃと面一に形成された側面幕１８と、これら天面幕１７及び側面幕１８の後縁に連結するかたちで形成された背面幕１９とによって箱形に形成されており、下向きの開口２０を有している。従って、この下向きの開口２０により、スタンドフレーム２に対してその上方から嵌装可能となっている。なお、この袋部１５は、箱形に形成することが限定されるわけではないが、箱形に形成されることでクッションパッド３との一体感が得られ、外観がスッキリしている。
【００１５】
巻付手段１６は、クッションパッド３の下端部から短冊状に延び出したベルト部２３と、このベルト部２３の先端部とクッションパッド３の背面部３ｂにおける適所との間に設けられた結合手段２４とを有したものとなっている。この結合手段２４は例えば面ファスナやボタンフック等とされている。
ベルト部２３は、袋部１５をスタンドフレーム２の上部へ嵌装させたとき、丁度、スタンドフレーム２の下部桟２５等の適当な被巻付部分に対応する位置付けとされている。巻き付けの容易さなどを考慮すると、クッションパッド３の背面部３ｂにおける下端部にそのベルト端が固定されたものとして、上記した被巻付部分（下部桟２５等）にその下側から外面を経て上側へと巻き上げるようにするのが好適である。クッションパッド３に対するベルト端の固定は、縫着又は接着によるものとする。ベルト部２３は、帆布製又はビニール等の樹脂シート製とされている。なお、このベルト部２３は、クッションパッド３の背面部３ｂに対して、その左右両端寄りの２箇所又はそれ以上設けておくのが好適となる。
【００１６】
結合手段２４は、このベルト部２４がスタンドフレーム２の被巻付部分（下部桟２５等）に対して上記の巻付状態とされたときに、このベルト部２４の先端がクッションパッド３の背面部３ｂに対して届く位置付けとされている。
なお、結合手段２４は、例えば腰ベルトや腕時計等のバックルに使われるような構造に置換することも可能である。また、結合手段２４自体を省略し、代わりに巻付手段１６として紐に置換するようにしてもよい。
このようなクッションパッド３は、ウレタンやスポンジ等のクッション材３０と、このクッション材３０を包み込む外装材３１とを有している。クッション材３０は、クッションパッド３としての外形状に対応する大きさの角形盤体形に成形させてもよいし、薄型のマット形に形成されたものを何枚か重ねて使用してもよいし、或いはチップ状乃至これより少し大きめのブロック状にしたものを一定厚みを出すのに必用な量だけ外装材３１内へ詰めたものとして形成してもよい。
【００１７】
これに対し、外装材３１は、布帛やビニール等の樹脂シートによって形成された、内部が空洞の角形の袋である。すなわち、この外装材３１は、クッションパッド３としての正面部３ａ、背面部３ｂ、左右の側面部３ｃ、上面部３ｄ、及び下面部３ｅにそれぞれ対応した生地面を有したものである。このうち、クッションパッド３の背面部３ｂを形成させている生地面には、図４に示すように、左右いずれかの縦辺部と下辺部とに沿いつつ連続したＬ字状を呈するようにジッパー３２が設けられており、このジッパー３２を全開にしたときに三角形状の大きな開口を形成させることができる。従って、この三角形状の開口から内部のクッション材３０を容易に出し入れできるようになっている。
【００１８】
前記ジッパー３２は、背面部３ｂにおける下辺部から左右縦辺部に連続させたコ字状を呈するように形成してもよい。
この外装材３１において、クッションパッド３の正面部３ａと左右の各側面部３ｃとを形成させている生地面は、図５に示すように、これら各面間にできる縦辺部に沿わせて縫着又は高周波や接着剤を用いた接着による繋ぎ目を設けてあり、これによって上記した角形隅部９を形成させるようになっている。これにより角形隅角９の形成が簡単且つ低コストにできる。
【００１９】
なお、図５ではクッションパッド３の正面部３ａとする生地面を左右の各側面部３ｃ側へ折り込み、この折り込み部に左右の各側面部３ｃとする生地面を被せる構造とし、またカバー片１０を設ける部位では、これら正面部３ａ側の折り込み部と側面部３ｃ側との間へカバー片１０の一部を挟み込ませる構造としてある。しかしこれに限らず、例えば図６に示すように、カバー片１０を挟み込まずに正面部３ａとする生地面へ被せる（露出させる）構造にしたり、図７に示すように、左右の各側面部３ｃとする生地面を正面部３ａ側へ折り込み、この折り込み部に正面部３ａとする生地面を被せると共にこの正面部３ａ側の生地面自体でカバー片１０を一体形成させる構造にしたり、図８に示すように、正面部３ａとする生地面を左右の各側面部３ｃ側へ折り込み、この折り込み部に左右の各側面部３ｃとする生地面を被せると共にこの側面部３ｃとする生地面自体でカバー片１０を一体形成させる構造にしたりすることもできる。更に、これら図示した以外の構造としてもよい。
【００２０】
このような構成の保護フェンス１では、殊にクッションパッド３の構造が簡潔であり軽量化や低コスト化が図れるばかりでなく、クッションパッド３においてその正面部３ａの略全面でクッション度にバラツキがなく、略均等化されたものとなっているので、ボールの跳ね返りに関して方向のイレギュラー化や跳ね返り距離のバラツキなどが防止され、プレーが幸平となって悪影響がでることがない。
ところで、本発明は、上記実施形態に限定されるものではなく、実施の形態に応じて適宜変更可能である。
【図面の簡単な説明】
【００２１】
【図１】本発明に係る保護フェンスの一実施形態をその背面側から示した斜視図である。
【図２】図１の保護フェンスを横並べで設置した状況をその正面側から示した斜視図である。
【図３】図１のＡ−Ａ線矢視図である。
【図４】クッションパッドの背面図である。
【図５】図２のように保護フェンスを横並べに設置するのに用いる連結部分（カバー片）を示した平面断面図である。
【図６】カバー片の取付構造における図５とは別の構造（第二例）を示した平面断面図である。
【図７】カバー片の取付構造における図５とは別の構造（第三例）を示した平面断面図である。
【図８】カバー片の取付構造における図５とは別の構造（第四例）を示した平面断面図である。
【符号の説明】
【００２２】
１  保護フェンス
２  スタンドフレーム
３  クッションパッド
３ａ  クッションパッドの正面部
３ｂ  クッションパッドの背面部
３ｃ  クッションパッドの左右の側面部
９  角形隅部
１０  カバー片
１１  連結手段
１５  袋部
１６  巻付手段
２０  下向き開口
３０  クッション材
３１  外装材
３２  ジッパー
【図１】
2005131034.tif 000003
【図２】
2005131034.tif 000004
【図３】
2005131034.tif 000005
【図４】
2005131034.tif 000006
【図５】
2005131034.tif 000007
【図６】
2005131034.tif 000008
【図７】
2005131034.tif 000009
【図８】
2005131034.tif 000010